(57)【要約】      （修正有）【課題】通信装置の機能性と実用性を向上させることができるヘルメット用通信装置を提供する。【解決手段】ヘルメット用通信装置は、無線方式でポータブル通信装置に連接し、外部に複数のボタン２１３を設置する外殻体２１０を設置する通信ユニット２１、通信ユニット２１の外側面に設置し、これにより通信ユニット２１をヘルメットの外部に設置する固定ユニット２２、通信ユニット２１内部の音声エンコード/デコードモジュールに連接し、マイクとスピーカーを備え、ヘルメット内部に設置する音声受信スピーカーユニット２３、通信ユニット２１の拡充スロット２６に設置する拡充ユニット２４を備え、外殻体２１０には拡充スロット２６を設置し、こうして無線方式によりポータブル通信装置に連接し、オートバイ騎乗者の運転時の安全性を拡大し、通信装置は拡充スロット２６を備えるため、使用者の必要に応じて拡充機能を増設可能である。【選択図】図３
0003156345.tif 000002
【実用新案登録請求の範囲】
【請求項１】
ヘルメット外部に設置し、無線伝送方式により、ポータブル通信装置と連接し、通信を行い、
ヘルメット用通信装置は、通信ユニット、固定ユニット、音声受信スピーカーユニット、拡充ユニットを備え、
前記通信ユニットは、外部に複数のボタンを設置する外殻体を設置し、前記外殻体には、拡充スロットを設置し、
前記外殻体内部には、マイクロプロセッサー、前記マイクロプロセッサーと電気的に連接するブルートゥースモジュール、前記マイクロプロセッサーと電気的に連接する音声エンコード/デコードモジュール、前記マイクロプロセッサーと電気的に連接するボタンモジュール、前記マイクロプロセッサーと電気的に連接する伝送モジュール、前記マイクロプロセッサーと電気的に連接する電源モジュールを備え、
前記ブルートゥースモジュールは、無線方式で、前記ポータブル通信装置に連接し、前記伝送モジュールは、前記拡充スロットに電気的に連接し、前記ボタンモジュールは、ボタンに対応して使用し、
前記固定ユニットは、前記通信ユニットの外側面に設置し、これにより前記通信ユニットを、ヘルメットの外部側辺に設置して定位し、
前記音声受信スピーカーユニットは、前記通信ユニット内部の音声エンコード/デコードモジュールに連接し、マイクとスピーカーを備え、ヘルメット内部に設置し、前記マイクにより使用者が発した音声を受信し、前記スピーカーにより前記ポータブル通信装置の音声信号を再生し、
前記拡充ユニットは、前記通信ユニットの拡充スロットに設置し、前記伝送モジュールを通して、前記マイクロプロセッサーと電気的に連接することを特徴とするヘルメット用通信装置。
【請求項２】
前記外殻体は、第一殻体、及び前記第一殻体と対応して接続する第二殻体を備え、
前記第一殻体と前記第二殻体との間には、１組の連接構成部品を設置し、
前記拡充スロットは、前記第一殻体と前記第二殻体とが隣接する内側面に設置することを特徴とする請求項１に記載のヘルメット用通信装置。
【請求項３】
前記連接構成部品は、前記第一殻体片側において可動接続部を設置し、前記第二殻体の対応する側辺には、対応可動接続部を設置し、
前記可動接続部と前記対応可動接続部との組み合わせ対応により、前記第一殻体と前記第二殻体とは、相互に可動接続して開放可能となることを特徴とする請求項２に記載のヘルメット用通信装置。
【請求項４】
前記連接構成部品は、前記第二殻体内側面の両端に、スライド槽をそれぞれ設置し、
前記第一殻体内側面の両端には、前記スライド槽に対応するスライドブロックをそれぞれ設置し、
前記スライドブロックは、前記スライド槽内部に係合して、位置を限定した状態で水平移動を行い、これにより前記第一殻体と前記第二殻体とは、相互にスライドして開放可能となることを特徴とする請求項２に記載のヘルメット用通信装置。
【請求項５】
前記拡充スロットには、前記拡充ユニットに対応する内凹槽を設置し、前記内凹槽内部には、前記拡充ユニットを定位する可動回転部品を設置し、前記内凹槽と前記可動回転部品との一端には、ピボットを設置して連接し、
前記拡充ユニットの一端は、前記拡充スロットの連接部品に対応し、外側表面に、表示スクリーンを設置し、
前記拡充ユニット内部には、前記連接部品及び前記表示スクリーンと電気的に連接する拡充モジュールを設置することを特徴とする請求項２に記載のヘルメット用通信装置。
【請求項６】
前記拡充モジュールは、GPSモジュール、デジタル音楽再生モジュール、FMモジュール、AMモジュール内の１種以上の組み合わせにより構成する多機能モジュールであることを特徴とする請求項５に記載のヘルメット用通信装置。
【請求項７】
前記拡充スロット内部には、収容設置空間を備え、前記収容設置空間内部には、挿入接続部品を設置し、
前記拡充ユニットには、前記拡充スロットの大きさに対応する組立て部品を設置し、前記組立て部品の頂点面には、表示スクリーンを設置し、前記組立て部品の下方には、前記拡充モジュールを設置し、前記拡充モジュールには、前記挿入接続部品に対応して連接する連結部品を設置することを特徴とする請求項１に記載のヘルメット用通信装置。
【請求項８】
前記拡充モジュールは、GPSモジュール、デジタル音楽再生モジュール、FMモジュール、AMモジュール内の１種以上の組み合わせにより構成する多機能モジュールであることを特徴とする請求項７に記載のヘルメット用通信装置。
【請求項９】
前記通信ユニットはさらに、無線通信モジュールを備え、
前記無線通信モジュールは、前記マイクロプロセッサーと電気的に連接し、近距離で予め設定する周波数の無線信号を受信及び発信して通信を行うことを特徴とする請求項１に記載のヘルメット用通信装置。
【請求項１０】
前記通信装置はさらに、前記通信ユニットに無線連接する制御ユニットを備え、
前記制御ユニットは、複数のボタンを備える制御パネルを設置し、
前記制御パネル内部には、マイクロプロセッサー、前記マイクロプロセッサーと電気的に連接するブルートゥースモジュール、前記マイクロプロセッサーと電気的に連接する電源モジュール、前記マイクロプロセッサーと電気的に連接する表示モジュール、前記マイクロプロセッサーと電気的に連接するボタンモジュールを備え、
前記制御ユニットのブルートゥースモジュールは、無線方式で、前記通信ユニットのブルートゥースモジュールに連接することを特徴とする請求項１に記載のヘルメット用通信装置。
【請求項１１】
前記制御ユニットはさらに、前記制御パネル外側に、表示スクリーンを設置し、
前記制御パネル内部には、前記制御ユニット内部のマイクロプロセッサーと電気的に連接する表示モジュールを設置し、前記表示モジュールは、前記通信ユニットの使用状態を表示することを特徴とする請求項１０に記載のヘルメット用通信装置。
【請求項１２】
前記制御ユニットは、オートバイのハンドル内部に一体成型とすることができ、前記制御パネルをオートバイのハンドル外側面に設置することを特徴とする請求項１１に記載のヘルメット用通信装置。
【請求項１３】
前記通信装置はさらに、前記通信ユニットと無線連接するサブ通信ユニットを備え、
前記サブ通信ユニット内部には、マイク、スピーカー、マイクロプロセッサー、ブルートゥースモジュール、電源モジュール、音声エンコード/デコードモジュールを備え、
前記ブルートゥースモジュール、前記電源モジュール、前記音声エンコード/デコードモジュールは、前記マイクロプロセッサーに電気的に連接し、
前記マイクと前記スピーカーは、前記音声エンコード/デコードモジュールに電気的に連接することを特徴とする請求項１に記載のヘルメット用通信装置。
【請求項１４】
前記通信装置は、前記通信ユニットと前記サブ通信ユニットに無線連接する制御ユニットを備え、
前記制御ユニットは、複数のボタンを備える制御パネルを設置し、
前記制御パネル内部には、マイクロプロセッサー、前記マイクロプロセッサーと電気的に連接するブルートゥースモジュール、前記マイクロプロセッサーと電気的に連接する電源モジュール、前記マイクロプロセッサーと電気的に連接する表示モジュール、前記マイクロプロセッサーと電気的に連接するボタンモジュールを備え、
前記制御ユニットのブルートゥースモジュールは、無線方式で、前記通信ユニット及び前記サブ通信ユニットのブルートゥースモジュールに連接し、
前記ボタンモジュールは、前記通信ユニット及び前記サブ通信ユニットを制御することを特徴とする請求項１３に記載のヘルメット用通信装置。
【請求項１５】
前記制御ユニットはさらに、前記制御パネル外側に、表示スクリーンを設置し、
前記制御パネル内部には、前記制御ユニット内部のマイクロプロセッサーと電気的に連接する表示モジュールを設置し、前記表示モジュールは、前記通信ユニット及び前記サブ通信ユニットの使用状態を表示することを特徴とする請求項１４に記載のヘルメット用通信装置。
【考案の詳細な説明】
【技術分野】
【０００１】
本考案はヘルメット用通信装置に関し、特にヘルメットの外部に組み立てて定位可能な通信装置で、無線方式によりポータブル通信装置を連接し、使用者のニーズに応じて拡充機能を増設することができ、オートバイ騎乗時の安全性を強化し、通信装置の機能性と実用性をも強化することができるヘルメット用通信装置に関する。
【背景技術】
【０００２】
携帯電話が発明されるまで、通信はすべて室内の固定電話により行われていた。しかし、室内の固定電話は固定された地点においてのみ通信が可能で、部屋の外にいる人と連絡を取ることはできなかった。テクノロジーの進歩により携帯電話が誕生し、日常の利便性は大幅に向上し、今では、無線信号が届く場所であれば、人はどこにいても、携帯電話で通信を行うことができる。
【０００３】
携帯電話は人々に多大な利益をもたらしたが、同時にいくらかの問題も引き起こしている。例えば、オートバイ騎乗時に携帯電話を取り出して通話すれば、片手で携帯電話を持ち、片手で運転するということになってしまい、これでは、運転に専念できず、交通事故発生の可能性さえある。これを受けて、手で持たなくても携帯電話が使用でき、通話効果を達成できるハンズフリー装置が市販されている。このハンズフリー装置は、一般的には、簡単なイヤホーンとマイクにより構成されている。しかし、法の規定により、オートバイの騎乗者は、走行時に必ずヘルメットを着用しなければならないが、この種のハンズフリー設計では、ヘルメット着用時に、コードが脱落し易い。これでは、使用において不便で、しかもマイクはヘルメットの外に露出していることが多いため、通信の質が低いという問題もあった。
【０００４】
上記問題を解決しようと、別種のハンズフリー通信装置が開発された。このタイプの通信装置では、脱落し易かったヘルメットの内側に装着するイヤホーンの問題を改善し、通信装置全体をヘルメットの外側に設置して固定し、通信装置からヘルメット内側へとマイクとイヤホーンを延伸して運転者の使用に供するものである。上記した通信装置は、装着問題の解決に成功したが、これは携帯電話の通話機能しか備えず、他のデジタル音楽の再生、GPS、或いはラジオ受信などの機能を備えない。物が溢れる現代、消費者を惹きつけるには、通信装置はより多くの機能を備えている必要があり、これにより使用の利便性が高く、他の装置を別に携帯する必要がないというメリットを提供することが求められる。本考案は、従来のヘルメット用通信装置の上記した欠点に鑑みてなされたものである。
【考案の概要】
【考案が解決しようとする課題】
【０００５】
本考案が解決しようとする課題は、無線方式によりポータブル通信装置に連接し、オートバイ騎乗者は、ポータブル通信装置を手で持つことなく通話が可能で、これにより運転時の安全性を拡大し、通信装置は拡充スロットを備えるため、使用者の必要に応じて他の特殊機能の拡充装置を増設可能で、通信装置の機能性と実用性を向上させることができるヘルメット用通信装置を提供することである。
【課題を解決するための手段】
【０００６】
上記課題を解決するため、本考案は下記のヘルメット用通信装置を提供する。
ヘルメット用通信装置は、ヘルメット外部に設置し、無線伝送方式により、ポータブル通信装置と連接し、通信を行い、
本考案ヘルメット用通信装置の第一実施例は、通信ユニット、固定ユニット、音声受信スピーカーユニット、拡充ユニットを備え、
該通信ユニットは、第一殻体と第二殻体により構成する外殻体を設置し、該外殻体は、第一殻体と第二殻体との間に１組の連接構成部品を設置し、該外殻体の外側面には複数のボタンを設置し、該第二殻体が第一殻体に相対する内側面には、拡充スロットを設置し、
該通信ユニットは、マイクロプロセッサー、ブルートゥースモジュール、音声エンコード/デコードモジュール、ボタンモジュール、伝送モジュール、電源モジュールを備え、該ブルートゥースモジュール、該音声エンコード/デコードモジュール、該ボタンモジュール、該伝送モジュール、該電源モジュールは該マイクロプロセッサーと電気的に連接し、該ブルートゥースモジュールは無線方式で、該ポータブル通信装置に連接し、
該固定ユニットは、該通信ユニットの外側面に設置し、これにより該通信ユニットをヘルメットの外部に設置して定位し、
該音声受信スピーカーユニットは、該通信ユニット内部の音声エンコード/デコードモジュールに連接し、マイクとスピーカーを備え、ヘルメット内部に設置し、該マイクにより使用者が発した音声を受信し、該スピーカーにより該ポータブル通信装置の音声信号を再生し、
該拡充ユニットは、該通信ユニットの拡充スロットに設置し、該伝送モジュールを通して、該マイクロプロセッサーと電気的に連接し、
該連接構成部品は、該第一殻体片側において可動接続部を設置し、該第二殻体の対応する側辺には、対応可動接続部を設置し、該可動接続部と該対応可動接続部との組み合わせ対応により、該第一殻体と該第二殻体とは、相互に可動接続して開放可能となり、
該連接構成部品は、該第二殻体内側面の両端に、スライド槽をそれぞれ設置し、該第一殻体内側面の両端には、該スライド槽に対応するスライドブロックをそれぞれ設置し、該スライドブロックは、該スライド槽内部に係合して、位置を限定した状態で水平移動を行い、これにより該第一殻体と該第二殻体とは、相互にスライドして開放可能となり、
該連接構成部品は、第一殻体と第二殻体の内側面に、回転部品を設置し、該回転部品の一端は、該第二殻体内部に固定し、該回転部品の反対端により、該第一殻体は水平に回転を行い、これにより、第一殻体と第二殻体とは、相互に回転して開放可能となり、
該拡充スロットには、該拡充ユニットに対応する内凹槽を設置し、該内凹槽内部には、該拡充ユニットを定位する可動回転部品を設置し、該内凹槽と該可動回転部品との一端には、ピボットを設置して連接し、
該伝送モジュールは、USB(Universal Serial Bus)インターフェースで、
該拡充ユニットの一端は、該拡充スロットの連接部品に対応し、外側表面に、表示スクリーンを設置し、
該拡充ユニット内部には、該連接部品及び該表示スクリーンと電気的に連接する拡充モジュールを設置し、
該拡充モジュールは、GPS(Global positioning system)モジュール、デジタル音楽再生(MP3)モジュール、FM(Frequency Modulation)モジュール、AMモジュール内の１種以上の組み合わせにより構成する多機能モジュールで、
本考案ヘルメット用通信装置の第二実施例は、通信ユニット、固定ユニット、音声受信スピーカーユニット、拡充ユニットを備え、
該通信ユニットは、外殻体を設置し、該外殻体外部の頂点面には、複数のボタンと拡充スロットを設置し、該拡充スロット内部には収容設置空間を備え、該収容設置空間内部には挿入接続部品を設置し、
該固定ユニットは、該通信ユニット外部底面に設置し、これにより該通信ユニットを、ヘルメットの外部側辺に設置して定位し、
該音声受信スピーカーユニットは、該通信ユニット内部に連接し、マイクとスピーカーを備え、ヘルメット内部に設置し、
該拡充ユニットは、該拡充スロット内部に設置し、該拡充ユニットには、該拡充スロットの大きさに対応する組立て部品を設置し、該組立て部品の頂点面には、表示スクリーンを設置し、該組立て部品の下方には、該拡充モジュールを設置し、該拡充モジュールには、該挿入接続部品に対応して連接する連結部品を設置し、
本考案ヘルメット用通信装置の第一、第二実施例では、該拡充モジュールは、GPSモジュール、デジタル音楽再生モジュール、FMモジュール、AMモジュール内の１種以上の組み合わせにより構成する多機能モジュールで、
該通信ユニットはさらに、無線通信モジュールを備え、該無線通信モジュールは、該マイクロプロセッサーと電気的に連接し、近距離で予め設定する周波数の無線信号を受信及び発信して通信を行い、
該固定ユニットは、該通信ユニットに一体成型し、或いは取り外し式の可動固定構造とすることもでき、これにより該通信ユニットに連接し、
該通信装置に対応して無線連接を行う制御ユニットは、運転者の操作に便利なオートバイのハンドルに設置することができ、これにより、オートバイに騎乗中に、手をハンドルから離して、状態の設定、切り換え操作、ポータブル通信装置の受信などの操作を行う必要がなくなり、騎乗の安全性を大幅に向上させられ、
該通信装置に対応して無線連接を行う制御ユニットは、複数のボタンを備える制御パネルを設置し、該制御パネル内部には、マイクロプロセッサー、該マイクロプロセッサーと電気的に連接するブルートゥースモジュール、該マイクロプロセッサーと電気的に連接する電源モジュール、該マイクロプロセッサーと電気的に連接するボタンモジュールを備え、該制御ユニットのブルートゥースモジュールは、無線方式で、該通信ユニットのブルートゥースモジュールに連接し、
該制御ユニットはさらに、該制御パネル外側に、表示スクリーンを設置し、該制御パネル内部には、該制御ユニット内部のマイクロプロセッサーと電気的に連接する表示モジュールを設置し、該表示スクリーンは、該通信ユニットの使用状態を表示し、
該制御ユニットには、該制御パネルに連接する固定部品を設置し、該固定部品とオートバイのハンドルとを固定し、該制御ユニットは、オートバイのハンドル内部に一体成型とすることができ、これにより、該制御パネルをオートバイのハンドル外側に設置し、
該通信装置は、相互に無線連接する該通信ユニットと該サブ通信ユニットを備え、これにより運転者と同乗者は、それぞれ該通信ユニットと該サブ通信ユニットを装着して対話することができ、騎乗者がヘルメットを被っているために、同乗者とはっきりと対話ができないという問題を減らすことができ、
該通信装置はさらに、該通信ユニットと無線連接するサブ通信ユニットを備え、該サブ通信ユニット内部には、マイク、スピーカー、マイクロプロセッサー、ブルートゥースモジュール、電源モジュール、音声エンコード/デコードモジュールを備え、該ブルートゥースモジュール、該電源モジュール、該音声エンコード/デコードモジュールは、該マイクロプロセッサーに電気的に連接し、該マイクと該スピーカーは、該音声エンコード/デコードモジュールに電気的に連接し、
該通信装置はさらに、該通信ユニットと該サブ通信ユニットに無線連接する制御ユニットを備え、該制御ユニットは、複数のボタンを備える制御パネルを設置し、該制御パネル内部には、マイクロプロセッサー、該マイクロプロセッサーと電気的に連接するブルートゥースモジュール、該マイクロプロセッサーと電気的に連接する電源モジュール、該マイクロプロセッサーと電気的に連接する表示モジュール、該マイクロプロセッサーと電気的に連接するボタンモジュールを備え、該制御ユニットのブルートゥースモジュールは、無線方式で、該通信ユニット及び該サブ通信ユニットのブルートゥースモジュールに連接し、該ボタンモジュールは、該通信ユニット及び該サブ通信ユニットを制御し、該制御ユニットは、該制御パネル外側に、表示スクリーンを設置し、該制御パネル内部には、該制御ユニット内部のマイクロプロセッサーと電気的に連接する表示モジュールを設置し、該表示モジュールは、該通信ユニット及び該サブ通信ユニットの使用状態を表示する。
【考案の効果】
【０００７】
本考案ヘルメット用通信装置は、通信ユニット内部に、ポータブル通信装置と無線連接する１組のブルートゥースモジュールを設置し、ブルートゥース無線伝送を通して、オートバイの運転中でも、ポータブル通信装置を手に取らずに通話を行うことができる。また、通信ユニットの外殻体内側面には、拡充スロットを設置するため、これに多機能モジュールを備える拡充ユニットを挿入接続して定位することができ、拡充ユニットと通信ユニットとの電気的に連接を通して、通信装置は他の特殊機能を備えることができる。さらに、通信ユニット内部には無線通信モジュールを設置するため、各自独立した通信装置は近距離での無線通信を行うことができ、使用の機能性と利便性を向上させることができる。加えて、本考案のヘルメット用通信装置は、オートバイのハンドルに設置する制御ユニット及び/或いは同乗者が装着する通信ユニットを、通信ユニットに対応させて使用することができる。こうして、運転者と同乗者は、通信ユニットとサブ通信ユニットをそれぞれ応用して、対話を行うことができ、騎乗者がヘルメットを被っているために、同乗者とはっきりと対話ができないという問題を減らすことができる。
【図面の簡単な説明】
【０００８】
【図１】本考案がポータブル通信装置を連結する様子を示す模式図である。
【図２】本考案が通信装置をヘルメットに設置する様子を示す模式図である。
【図３】本考案第一実施例の立体図である。
【図４】本考案通信ユニット連接構成部品第一実施例の模式図である。
【図５】本考案通信ユニット連接構成部品第二実施例の模式図である。
【図６】本考案通信ユニット連接構成部品第三実施例の模式図である。
【図７】本考案第二実施例の立体図である。
【図８】図７の分解図である。
【図９】本考案通信装置内部構造の模式図である。
【図１０】本考案通信ユニットを制御ユニットに対応させて使用する様子を示す模式図である。
【図１１】図１０に示す通信装置内部構造の模式図である。
【図１２】本考案通信ユニットをサブ通信ユニットに対応させて使用する様子を示す模式図である。
【図１３】図１２に示す通信装置内部構造の模式図である。
【図１４】本考案通信ユニットをサブ通信ユニット及び制御ユニットに対応させて使用する様子を示す模式図である。
【図１５】図１４に示す通信装置内部構造の模式図である。
【図１６】本考案において、各自独立した２個の通信装置の無線通信モジュールを通して対話する様子を示す模式図である。
【図１７】図１６に示す通信装置内部構造の模式図である。
【考案を実施するための形態】
【０００９】
以下に図面を参照しながら本考案を実施するための最良の形態について詳細に説明する。
【実施例】
【００１０】
図１、２に示すように、本考案ヘルメット用通信装置２０は、無線伝送方式により、ポータブル通信装置１０と連接し、通信を行い、しかも、ヘルメット１１外部に固定して使用する。本考案のポータブル通信装置１０は、ブルートゥース伝送機能を備えた携帯電話である。
【００１１】
本考案ヘルメット用通信装置２０は、通信ユニット２１、固定ユニット２２、音声受信スピーカーユニット２３、拡充ユニット２４により構成する。
【００１２】
図３に示すように、本考案の第一実施例では、通信ユニット２１は、第一殻体２１１、第二殻体２１２により構成する外殻体２１０を備える。外殻体２１０は、第一殻体２１１と第二殻体２１２との間に、１組の連接構成部品２５を設置する。外殻体２１０の外側面には、複数のボタン２１３を設置する。第二殻体２１２は、第一殻体２１１と相対する内側に、拡充スロット２６を設置する。固定ユニット２２は、通信ユニット２１の外側面に設置し、通信ユニットをヘルメット１１の外側辺に設置して定位する。音声受信スピーカーユニット２３は、通信ユニット２１の内部に連接し、使用者が発する音声を受け取るマイク２３１と、ポータブル通信装置１０の音声信号を再生するスピーカー２３２とを備える。音声受信スピーカーユニット２３は、ヘルメット１１内部に設置する。拡充ユニット２４は、通信ユニット２１の拡充スロット２６内部に設置する。
【００１３】
図４に示す連接構成部品２５の第一実施例では、連接構成部品２５は、第一殻体２１１片側に、垂直に開けることができる可動接続部２５１を設置する。第二殻体２１２の対応側辺には、可動接続部２５１に対応して設置する対応可動接続部２５２を備える。可動接続部２５１と対応可動接続部２５２との対応と可動接続により、第一殻体２１１と第二殻体２１２は、垂直に開けることができ、これにより、拡充スロット２６は、通信ユニット２１の開放面上に現れる。
【００１４】
図５に示す連接構成部品２５の第二実施例では、連接構成部品２５は、第二殻体２１２内側面の両端に、細長い形状のスライド槽２５３をそれぞれ設置する。さらに、第一殻体２１１内側面の両端には、スライド槽２５３に対応して接続するスライドブロック(図示なし)をそれぞれ設置する。スライドブロックは、スライド槽２５３内部に係合して定位し、スライド槽２５３内部において限定的な水平移動を行う。これにより、第一殻体２１１と第二殻体２１２とは、スライド開放され、こうして拡充スロット２６は、通信ユニット２１の開放面上に現れる。
【００１５】
図６に示す連接構成部品２５の第三実施例では、連接構成部品２５は、第一殻体２１１と第二殻体２１２とが隣接する内側面に、360度回転が可能な回転部品２５４を設置する。回転部品２５４の一端は、第二殻体２１２内部に固定し、回転部品２５４の反対端により、第一殻体２１１は水平に360度回転を行う。これにより、第一殻体２１１と第二殻体２１２とは、回転して開放し、こうして拡充スロット２６は、通信ユニット２１の開放面上に現れる。
【００１６】
上記した実施例中において、拡充スロット２６は、拡充ユニット２４に対応して内凹槽２６１を設置する。内凹槽２６１内部には、拡充ユニット２４の可動回転部品２６２を定位する。内凹槽２６１と可動回転部品２６２との一端には、ピボット２６３を設置して連接し、定位する。拡充ユニット２４の一端は、拡充スロット２６の連接部品２４１に対応し、外側表面には、表示スクリーン２４２を設置する。拡充ユニット２４内部には、連接部品２４１及び表示スクリーン２４２と電気的に連接する拡充モジュール２４３を設置する。
【００１７】
図７、８に示すように、本考案の第二実施例において、ヘルメット用通信装置２０は同様に、通信ユニット２１、固定ユニット２２、音声受信スピーカーユニット２３、拡充ユニット２４により構成する。
【００１８】
通信ユニット２１は、第一殻体２１１を備え、第一殻体２１１外部の頂点面には、複数のボタン２１３と拡充スロット２６を設置する。拡充スロット２６内部には、収容設置空間２６４を備える。収容設置空間２６４内部には、挿入接続部品２６５を設置する。固定ユニット２２は、通信ユニット２１の外部底面に設置し、通信ユニット２１を、ヘルメット１１の外部側辺に設置して定位する。音声受信スピーカーユニット２３は、通信ユニット２１の内部に連接し、使用者が発する音声を受け取るマイク２３１と、ポータブル通信装置１０の音声信号を再生するスピーカー２３２とを備える。音声受信スピーカーユニット２３は、ヘルメット１１内部に設置する。拡充ユニット２４は、通信ユニット２１の拡充スロット２６内部に設置し、挿入接続部品と連接する。
【００１９】
拡充ユニット２４には、拡充スロット２６の大きさに対応する組立て部品２４７を設置する。組立て部品２４７の頂点面には、表示スクリーン２４２を設置する。組立て部品２４７の下方には、拡充モジュール２４３を設置する。拡充モジュール２４３には、挿入接続部品２６５に対応して連接する連結部品２４８を設置する。これにより、拡充ユニット２４は、組立て部品２４７と拡充スロット２６の側壁により緊密に接合され、こうして、通信装置２０全体は防水機能を備える。連結部品２４８と挿入接続部品２６５との連接を通して、通信ユニット２１と拡充ユニット２４とは電気的に連接し、これにより通信ユニット２１は、拡充ユニット２４を通じた拡充機能を提供することができる。
【００２０】
図９に示すように、上記した実施例において、本考案の通信ユニット２１内部には、マイクロプロセッサー２１４、ブルートゥースモジュール２１５、音声エンコード/デコードモジュール２１６、ボタンモジュール２１７、伝送モジュール２１８、電源モジュール２１９、無線通信モジュール２２０を備える。ブルートゥースモジュール２１５、音声エンコード/デコードモジュール２１６、ボタンモジュール２１７、伝送モジュール２１８、電源モジュール２１９、無線通信モジュール２２０はすべて、マイクロプロセッサー２１４と電気的に連接する。ブルートゥースモジュール２１５は、無線方式で、ポータブル通信装置１０のブルートゥース伝送モジュールに連接する。音声エンコード/デコードモジュール２１６は、音声受信スピーカーユニット２３内部のマイク２３１とスピーカー２３２に連接し、音声信号をエンコードして伝送し、デコードして再生する。ボタンモジュール２１７は、複数のボタン２１３に対応して連接する。伝送モジュール２１８は、拡充モジュール２４３を、マイクロプロセッサー２１４に電気的に連接させ、通信ユニット２１に、特殊機能を備えさせる。伝送モジュール２１８は、USB(Universal Serial Bus)インターフェースである。電源モジュール２１９は、内蔵式電池充電モジュールである。無線通信モジュール２２０は、近距離で所定の周波数の無線電波を受信及び伝送し、これにより通話を行うことができる。
【００２１】
上記した実施例において、本考案の拡充ユニット２４内部の拡充モジュール２４３は、GPS(Global positioning system)モジュール２４４、デジタル音楽再生(MP3)モジュール２４５、FM(Frequency Modulation)モジュール２４６を備える。GPSモジュール２４４は、音声方式でナビゲーション作業を行う。デジタル音楽再生モジュール２４５は、内蔵するデジタル音楽を、通信ユニット２１へと伝送して再生することができる。FMモジュール２４６は、通信ユニット２１のボタン２１３とボタンモジュール２１７との対応を通して周波数調整を行う。別種の実施例では、拡充モジュール２４３はさらに、AMモジュール(図示なし)を備えることができる。
【００２２】
上記した実施例において、拡充モジュール２４３には、異なる機能の３個のモジュールを設置するが、これらは説明の便のために、例として挙げるまでで、これに限定するものではない。また、拡充モジュール２４３は、１個のモジュールのみを設置し、或いは複数のモジュールを結合させて設置することもできる。よって、上記した拡充モジュール２４３は、運転者のニーズに応じた理想の状態の拡充機能を備えるモジュールを設置することができる。
【００２３】
上記した実施例において、固定ユニット２２は、通信ユニット２１に一体成型するが、これらは説明の便のために、例として挙げるまでで、これに限定するものではない。固定ユニット２２は、取り外し式の可動固定構造(図示なし)とすることもでき、これにより、騎乗していない時には、固定ユニット２２を取り外して収納することができる。こうして、通信装置２０は、多機能のメディア再生装置として使用され、通信装置２０の利便性と実用性を拡大することができる。
【００２４】
図１０に示すように、本考案通信装置２０には、通信ユニット２１の無線連接に対応する制御ユニット２７を設置することができる。制御ユニット２７は、運転者がボタンを押すのに便利なオートバイのハンドルに設置する。これにより、オートバイに騎乗中に、手をハンドルから離して、状態の設定、切り換え操作、ポータブル通信装置１０の受信などの操作を行う必要がなくなる。
【００２５】
図１１に示すように、制御ユニット２７には、制御パネル２７０を設置する。制御パネル２７０外側には、複数のボタン２７１、表示スクリーン２７２を設置する。制御パネル２７０内部には、マイクロプロセッサー２７３、マイクロプロセッサー２７３と電気的に連接するブルートゥースモジュール２７４、マイクロプロセッサー２７３と電気的に連接する電源モジュール２７５、マイクロプロセッサー２７３と電気的に連接する表示モジュール２７６、マイクロプロセッサー２７３と電気的に連接するボタンモジュール２７７を備える。
【００２６】
制御ユニットのブルートゥースモジュール２７４は、無線方式で、通信ユニット２１のブルートゥースモジュール２１５に連接する。ボタンモジュール２７７は、ボタン２７１を通して、通信ユニット２１の状態の設定、切り換え操作、音声の受信などを制御する。表示モジュール２７６は、表示スクリーン２７２を通して、通信ユニット２１の使用状態を表示する。電源モジュール２７５は、内蔵式の電池充電モジュールである。
【００２７】
図示の実施例において、制御ユニット２７には、制御パネル２７０に連接する固定部品２７８を設置し、固定部品２７８とオートバイのハンドル１２とを固定する。別種の実施例においては、制御ユニット２７は、オートバイのハンドル１２内部に一体成型とすることができ、これにより、制御パネル２７０をオートバイのハンドル１２外側に設置する(図示なし)。
【００２８】
図１２に示すように、本考案の通信装置２０には別に、通信ユニット２１と相互に無線連接するサブ通信ユニット２８を設置する。サブ通信ユニット２８は、同乗者の適当な位置に装着し、通信ユニット２１に対応して、運転者と対話することができる。
【００２９】
図１３に示すように、サブ通信ユニット２８内部には、マイク２８１、スピーカー２８２、マイクロプロセッサー２８３、ブルートゥースモジュール２８４、電源モジュール２８５、音声エンコード/デコードモジュール２８６を備え、マイクロプロセッサー２８３に電気的に連接する。マイク２８１とスピーカー２８２は、音声エンコード/デコードモジュール２８６に電気的に連接する。
【００３０】
サブ通信ユニット２８のブルートゥースモジュール２８４は、無線方式で、通信ユニット２１のブルートゥースモジュール２１５と連接する。電源モジュール２８５は、内蔵式の電池充電モジュールである。音声エンコード/デコードモジュール２８６は、音声信号を、エンコードして伝送し、デコードして再生する。同乗者は、サブ通信ユニット２８のブルートゥースモジュール２８４を通して、運転者の通信ユニット２１と対話を行うことができるため、騎乗者がヘルメット１１を被っているために、同乗者とはっきりと対話ができないという問題を減らすことができる。
【００３１】
図１４、１５に示すように、本考案ヘルメット用通信装置２０は、サブ通信ユニット２８と制御ユニット２７とを、通信ユニット２１に無線連接し、同時に使用することができる。図１４に示す実施例では、サブ通信ユニット２８は、同乗者のヘルメット１１内部に設置して使用する。
【００３２】
図１６、１７に示すように、本考案ヘルメット用通信装置２０は、２台以上の独立した通信装置２０により、通信を行うことができる。この通信方式では、通信ユニット２１内部の無線通信モジュール２２０により、短距離の無線信号の伝送を行う。これにより、予め設定した周波数を通して、数人の騎乗者のグループ内で、オートバイを運転しながら直接連絡を取り合うことができ、ポータブル通信装置１０を使用して、電話の発信を行う必要がなくなる。こうして本考案ヘルメット用通信装置２０の機能性と実用性はさらに向上する。
【００３３】
本考案ヘルメット用通信装置は、通信ユニット内部に、ポータブル通信装置と無線連接する１組のブルートゥースモジュールを設置し、ブルートゥース無線伝送を通して、オートバイの運転中でも、ポータブル通信装置を手に取らずに通話を行うことができる。また、通信ユニットの外殻体内側面には、拡充スロットを設置するため、これに多機能モジュールを備える拡充ユニットを挿入接続して定位することができ、拡充ユニットと通信ユニットとの電気的に連接を通して、通信装置は他の特殊機能を備えることができる。さらに、通信ユニット内部には無線通信モジュールを設置するため、各自独立した通信装置は近距離での無線通信を行うことができ、使用の機能性と利便性を向上させることができる。
【００３４】
加えて、本考案のヘルメット用通信装置は、オートバイのハンドルに設置する制御ユニット及び/或いは同乗者が装着する通信ユニットを、通信ユニットに対応させて使用することができる。こうして、運転者と同乗者は、通信ユニットとサブ通信ユニットをそれぞれ応用して、対話を行うことができ、騎乗者がヘルメットを被っているために、同乗者とはっきりと対話ができないという問題を減らすことができる。
【００３５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３６】
本考案は実用新案の要件である新規性を備え、従来の同類製品に比べ十分な進歩を有し、実用性が高く、社会のニーズに合致しており、産業上の利用価値は非常に大きい。
【符号の説明】
【００３７】
１０  ポータブル通信装置
１１  ヘルメット
１２  ハンドル
２０  通信装置
２１  通信ユニット
２１０  外殻体
２１１  第一殻体
２１２  第二殻体
２１３  ボタン
２１４  マイクロプロセッサー
２１５  ブルートゥースモジュール
２１６  音声エンコード/デコードモジュール
２１７  ボタンモジュール
２１８  伝送モジュール
２１９  電源モジュール
２２０  無線通信モジュール
２２  固定ユニット
２３  音声受信スピーカーユニット
２３１  マイク
２３２  スピーカー
２４  拡充ユニット
２４１  連接部品
２４２  表示スクリーン
２４３  拡充モジュール
２４４  GPSモジュール
２４５  デジタル音楽再生モジュール
２４６  FMモジュール
２４７  組立て部品
２４８  連結部品
２５  連接構成部品
２５１  可動接続部
２５２  対応可動接続部
２５３  スライド槽
２５４  回転部品
２６  拡充スロット
２６１  内凹槽
２６２  可動回転部品
２６３  ピボット
２６４  収容設置空間
２６５  挿入接続部品
２７  制御ユニット
２７０  制御パネル
２７１  ボタン
２７２  表示スクリーン
２７３  マイクロプロセッサー
２７４  ブルートゥースモジュール
２７５  電源モジュール
２７６  表示モジュール
２７７  ボタンモジュール
２７８  固定部品
２８  サブ通信ユニット
２８１  マイク
２８２  スピーカー
２８３  マイクロプロセッサー
２８４  ブルートゥースモジュール
２８５  電源モジュール
２８６  音声エンコード/デコードモジュール
【図１】
0003156345.tif 000003
【図２】
0003156345.tif 000004
【図３】
0003156345.tif 000005
【図４】
0003156345.tif 000006
【図５】
0003156345.tif 000007
【図６】
0003156345.tif 000008
【図７】
0003156345.tif 000009
【図８】
0003156345.tif 000010
【図９】
0003156345.tif 000011
【図１０】
0003156345.tif 000012
【図１１】
0003156345.tif 000013
【図１２】
0003156345.tif 000014
【図１３】
0003156345.tif 000015
【図１４】
0003156345.tif 000016
【図１５】
0003156345.tif 000017
【図１６】
0003156345.tif 000018
【図１７】
0003156345.tif 000019